(57)【要約】  【課題】雌型継手部材の外周に摺動可能に取り付けられる操作スリーブを付勢するコイルバネ用のダストカバーの外側に設定される保護カバーを、その径を大きくすることなく取り付けられるようにする。  【解決手段】筒状とされた柔軟材よりなるダストカバー２２を、一端縁２２−１が雌型本体１６の外周面に固定され、該一端縁から軸線方向後方に延び、反転して、軸線方向前方に延び、他端縁２２−２が前記操作スリーブ１８に固定されるように取り付ける。バネ２０はダストカバー２２、操作スリーブ１８、及び、雌型本体１６の外周面によって画定される空間内に収納する。【選択図】図１
2006226317.tif 000002
【特許請求の範囲】
【請求項１】
雌型継手部材及び雄型継手部材からなる管継手であって、
雌型継手部材が、
雄型継手部材を受け入れる側の端部を前端とする筒状の雌型本体と、
該雌型本体の外周面上に、当該雌型本体の軸線方向で摺動可能とされた操作スリーブと、
前記雌型本体の外周面上に取り付けられ、前記操作スリーブを前記前端側にむけて前記軸線方向で付勢するバネと、
筒状とされた柔軟材よりなるダストカバーであって、一端縁が前記雌型本体の外周面に固定され、該一端縁から前記軸線方向後方に延び、反転して、前記軸線方向前方に延び、他端縁が前記操作スリーブに固定されたダストカバーと、
を有し、
前記バネが前記ダストカバー、前記操作スリーブ、及び、雌型本体の外周面によって画定される空間内に収納されている
ことを特徴とする管継手。
【請求項２】
前記ダストカバーの前記一端縁が、前記雌型本体の外周面に取外し可能に固定される環状固定部材によって該外周面に固定され、
前記バネが該環状固定部材と前記操作スリーブとの間に設定されたコイルバネとされていることを特徴とする請求項１に記載の管継手。
【請求項３】
前記操作スリーブに取り付けられ、前記ダストカバーの外側を前記軸線方向後方に延びる筒状の保護カバーを有し、該保護カバーの後端が、前記操作スリーブが前記前方位置にあるときに前記ダストカバーの前記反転部分よりも後方位置にあることを特徴とする請求項１若しくは２に記載の管継手。
【請求項４】
前記ダストカバーの前記他端縁が前記操作スリーブと前記保護カバーとの間で挟着固定されていることを特徴とする請求項3に記載の管継手。
【請求項５】
雄型継手部材が、その外周面に設けられた環状のダストカバーを有し、
該ダストカバーは、該雄型継手部材が前記雌型継手部材に挿入連結された状態において、前記操作スリーブの前端縁部分に係合して外部から操作スリーブ内側へのダストの侵入を防止するようにしたことを特徴とする請求項１乃至４のいずれかに記載の管継手。
【発明の詳細な説明】
【技術分野】
【０００１】
本発明は雌型継手部材及び雄型継手部材からなる管継手に関し、特に、雌型継手部材の外周に摺動可能に取り付けられる操作スリーブを付勢するために設けられているコイルバネにダストが付着するのを防止するようにした管継手に関する。
【背景技術】
【０００２】
雌型継手部材が施錠部材（通常は金属球）を備え、雄型継手部材を受け入れた状態で、施錠部材を該雄型継手部材に係合させて該雄型継手部材を雌型継手部材に対して固定するようにした管継手においては、通常、雌型継手部材の外周面上で軸線方向に摺動可能に設けられた操作スリーブによって施錠部材の操作を行うようになっており、該操作スリーブは雌型継手部材の外周面上に設けられたコイルバネによって施錠位置(施錠子を雄型継手部材に係合させるための位置)に付勢されるようになっている。
【０００３】
従って、該コイルバネにダストが付着すると、当該操作スリーブの操作に支障を来たす虞がある。
【０００４】
このため、筒状のダストカバーを、その一端を操作スリーブに、他端を雌型継手部材の外周面に固定するようにして取り付け、コイルバネをその内側に設定することにより、該コイルバネへのダストの付着を防止する方法が提案されている（特許文献１及び２参照）。
【特許文献１】実開昭５３−１２７３１９号
【特許文献２】実開昭５６−３５９８９号
【発明の開示】
【発明が解決しようとする課題】
【０００５】
ダストカバーは、ゴムや合成樹脂などの柔軟性のある材料で作られるため、傷つきやすく、これを保護することが好ましいが、上述した従来のダストカバーは、操作スリーブを摺動することにより長さを縮められた場合、外側に湾曲し、その外径が大きくなる。このため、該ダストカバーを保護するための筒状保護カバーは、外径の大きくなったダストスリーブを収納するに十分なだけの径を有することが必要であり、サイズが大きくなることから、実際には、そのような保護カバーを設けない場合が多い。また、ダストカバーは上述の如く外側に湾曲されない状態では一定直径のものであり、従って、操作スリーブを摺動する場合、該ダストカバーが外側に湾曲する程度が大きくなるほど当該ダストカバーを縮めるために必要とされる力（すなわち、操作スリーブを摺動するための力）が大きくなり、円滑な操作の支障になる虞がある。
【課題を解決するための手段】
【０００６】
本発明は、このような点に鑑み、雌型継手部材が、
雄型継手部材を受け入れる側の端部を前端する筒状の雌型本体と、
該雌型本体の外周面上に、当該雌型本体の軸線方向で摺動可能とされた操作スリーブと、
前記雌型本体の外周面上に取り付けられ、前記操作スリーブを前記前端側にむけて前記軸線方向で付勢するバネと、
筒状とされた柔軟材よりなるダストカバーであって、一端縁が前記雌型本体の外周面に固定され、該一端縁から前記軸線方向後方に延び、反転して、前記軸線方向前方に延び、他端縁が前記操作スリーブに固定されたダストカバーと、
を有し、
前記バネが前記ダストカバー、前記操作スリーブ、及び、前記雌型本体の外周面によって画定される空間内に収納されている
ことを特徴とする管継手を提供する。
【０００７】
具体的には、
前記ダストカバーの前記一端縁が、前記雌型本体の外周面に取外し可能に固定される環状固定部材によって該外周面に固定され、
前記バネが該環状固定部材と前記操作スリーブとの間に設定されたコイルバネとされる。
【０００８】
また、前記操作スリーブに取り付けられ、前記ダストカバーの外側を前記軸線方向後方に延び、後端が、前記操作スリーブが前記前方位置にあるときに前記ダストカバーの前記反転部分よりも後方位置にあるようにした保護カバーを設けることが好ましい。
この場合、前記ダストカバーの前端縁が前記操作スリーブと前記保護カバーとの間で挟着固定されるようにすることができる。
【０００９】
更に、雄型継手部材が、その外周面に設けられた環状のダストカバーを有し、
該雄型継手部材が前記雌型継手部材に挿入連結された状態において、該環状のダストカバーが前記操作スリーブの前端縁部分に係合して、ダストが外部から操作スリーブ内側への侵入を防止するようすることが好ましい。
【発明の効果】
【００１０】
本発明に係る管継手においては、雌型継手部材に取り付けるダストカバーを上述のように構成することにより、操作スリーブを後方に変位した場合に、反転部分が後方に変位して、従来のもののように半径方向外側に変形することがない。従って、該ダストカバーに対する保護カバーを取り付ける場合でも、当該保護カバーの径を余り大きくする必要がない。また、保護カバー及びダストカバーは、分解しやすく、組み立て、部品の交換をしやすくすることできる。更に、操作スリーブを後方に変位する場合に、ダストカバーはその反転部分が後方へ変位するだけなので、前述の直径が変化する従来のダストカバーとは異なり、操作スリーブを後方へ変位するために必要とされる力に実質的変化はなく、円滑な操作を可能とする。
【発明を実施するための最良の形態】
【００１１】
以下、本発明に係る管継手の実施形態を添付図面に基づき説明する。
図１に示すように、本発明に係る管継手１０は、雌型継手部材１２及び雄型継手部材１４からなる。
【００１２】
雌型継手部材１２は、雄型継手部材１４を受け入れる側の端部を前端とする筒状の雌型本体１６と、該雌型本体１６の外周面上に、当該雌型本体の軸線方向で摺動可能とされた操作スリーブ１８と、雌型本体１６の外周面上に取り付けられ、操作スリーブ１８を当該雌型本体１４の前端側にむけて軸線方向で付勢するコイルバネ２０と、筒状とされた柔軟材よりなるダストカバー２２であって、一端縁２２−１が雌型本体１６の外周面に固定され、該一端縁から軸線方向後方に延び、反転して、軸線方向前方に延び、他端縁２２−２が操作スリーブ１８に固定されたダストカバー２２と、を有する。コイルバネ２０はダストカバー２２、操作スリーブ１８、及び、雌型本体１６の外周面によって画定される空間内に収納されている。操作スリーブ１８には筒状の保護カバー２３が取り付けられ、ダストカバーの外側を軸線方向後方に延びるようにされている。
【００１３】
雌型本体１６には、半径方向で変位可能に設けられた施錠部材（具体的には、金属球）２４が設けられており、操作スリーブ１８は、図３に示すように、施錠部材２４を雌型継手部材１２内に挿入された雄型継手部材１４の施錠凹部２６に係合させて外側から抑える施錠位置と、図２に示すように、後方に変位されて施錠子２４が半径方向外側に変位できるようにする開錠位置との間で変位可能とされている。コイルバネ２０は、操作スリーブ１８を前方に付勢し、通常は、操作スリーブ１８を図３及び図１に示す施錠位置とする。
【００１４】
ダストカバー２２の一端縁２２−１は肉厚にされており、雌型本体１６の外周面に形成した環状溝１６−１内に嵌合され、同外周面に取外し可能に嵌合された固定用筒２７の後端によって押さえつけられ固定されている。コイルバネ２０は、該固定用筒２７と操作スリーブ１８との間に設定されている。ダストカバー２２の他端縁２２−２も肉厚とされており、操作スリーブ１８の小径外周面１８−１に係合されており、保護カバー２３との間で挟着固定されている。
【００１５】
保護カバー２３は、その後端が、操作スリーブが施錠位置（図３）にあるときにダストカバー２２の反転部分２２−３よりも後方位置となるように軸線方向で延び、ダストカバー２２を保護している。
【００１６】
雄型継手部材１４には、その外周面に環状の第２ダストカバー２８が設けられている。該ダストカバー２８は環状の係合突起２８−１を有しており、該係合突起２８−１は、雄型継手部材１４が雌型継手部材１２に挿入連結された状態（図３）において、操作スリーブ１８の前端縁部分に形成した係合凹部１８−２に係合して、ダストが外部から操作スリーブ１８の内側へ侵入するのを防止する。
【００１７】
図において、参照番号３０は保護カバー２３を操作スリーブ１８上に保持するためのストップリングであり、該ストップリング３０を外して保護カバー２３を外すことができるようになっている。３２は、操作スリーブ１８用のストップリング、３４はポペットバルブ、３６はポペットバルブ３４を閉止位置に付勢するコイルバネ、３８はコイルバネ３６用の保持部材、４０はポペットバルブ、４２はポペットバルブ４０を閉止位置に付勢するコイルバネ、４４はコイルバネ４２用の保持部材である。
【００１８】
雄型継手部材１４を雌型継手部材１２に挿入するときには、図１に示す施錠位置にある操作スリーブ１８を、図２に示すように、軸線方向後方へ動かして開錠位置とし、施錠子２４が半径方向外側に変位可能とする。雄型継手部材１４を雌型継手部材１２内に挿入した後、操作スリーブ１８を開放することにより、コイルバネ２０の作用によって当該操作スリーブ１８を施錠位置に戻し、雄型継手部材１４を雌型継手部材１２に固定する。
【図面の簡単な説明】
【００１９】
【図１】本発明に係る管継手の雌型継手部材及び雄型継手部材が分離されている状態を示す断面側面図である。
【図２】雄型継手部材を挿入するために操作スリーブを開錠位置に変位させた状態を示す断面側面図である。
【図３】雌型継手部材と雄型継手部材が連結されていている状態を示す断面側面図である。
【符号の説明】
【００２０】
１０            管継手
１２            雌型継手部材
１４            雄型継手部材
１６            雌型本体
１６−１        環状溝
１８            操作スリーブ
１８−１        小径外周面
１８−２        係合凹部
２０            コイルバネ
２２            ダストカバー
２２−１        一端縁
２２−２        他端縁
２２−３        反転部分
２３            保護カバー
２４            施錠部材
２６            施錠凹部
２７            固定用筒（環状固定部材）
２８            第２ダストカバー
２８−１        係合突起
【図１】
2006226317.tif 000003
【図２】
2006226317.tif 000004
【図３】
2006226317.tif 000005